(57)【要約】【課題】ダクトが、ホスト板の上にある異なるCPUの位置に対応して、通気孔上で変位でき、また、ダクトが、CPUの異なる高さに対応して、管受のスリーブ上で伸縮できる移動可能なダクト装置を提供する。【解決手段】  主として、コンピュータのホスト側板の通気孔の上に、ダクトを実装し、当該ダクトは、連結される管受を内枠のシュートの中へ伸ばさせることにより位置付けられる。【選択図】図２
0003117079.tif 000002
【実用新案登録請求の範囲】
【請求項１】
コンピュータのホスト側板の通気孔の上に、ダクトが実装されてホスト板のCPU位置まで伸ばされる移動可能なダクト装置であって、
側板の通気孔に対応する貫通穴があり、上に複数の嵌合ブロックとフック柱を有する外枠と、
上に、それぞれ、外枠の嵌合ブロックとフック柱と係合するための複数の嵌合穴とフック穴があり、内縁の両端に、それぞれ、シュートがあり、シュートの中段に、弾性を有する係止フックがある内枠と、
ダクトを接続し、両側の縁に、内枠のシュートの中へ入り込むと内枠の係止フックが係止されて位置付けられる係止溝がある管受とが含有され、
上記部品からなるダクトは、管受により内枠のシュートの中で変位できる、
ことを特徴とする移動可能なダクト装置。
【請求項２】
管受は、一端に、スリーブがあり、当該スリーブの上に、二つの縦方向の突出柱と若干の凹み槽とがあり、ダクトの内縁に、スリーブの二つの突出柱と係止するための二つの縦方向の係止槽があり、ダクトの内縁にある若干の係止突出は、スリーブの凹み槽の中に係止されて位置付けられる、ことを特徴とする請求項１に記載の移動可能なダクト装置。
【請求項３】
フィルタは、内枠のシュート端から伸ばし込んで管受の内側に位置し、フィルタの上に設けられた定位穴が、側板の定位突出に位置付けられる、ことを特徴とする請求項１に記載の移動可能なダクト装置。
【考案の詳細な説明】
【技術分野】
【０００１】
本考案は、移動可能なダクト装置に関し、特に、異なるホスト板のCPUの位置に対応して、移動して位置を変更できるダクトに関する。
【背景技術】
【０００２】
従来のCPU放熱装置は、主として、フィンとファンとが含有され、ファンがフィンの上方に位置し、ファンの風力により、CPUの熱が排出されるが、CPUと周辺チップが生成した高温気体が内部空間で循環して完全に排出されることができず、そのため、業者によれば、コンピュータのホストの側板の上にダクト（Air-Duct）を実装し、当該ダクトがホスト板のCPU位置まで伸ばされ、ダクトの外側の空気により、CPUが生成した高温気体を低温化するが、今において、市販のダクトが、固定されて移動不可の装置であり、また、パソコンによれば、ホスト板のCPU位置が異なるため、固定式のダクトが、異なる位置のCPUに対応できず、改良すべきものである。
【０００３】
本考案者は、上記の問題を解消するため、長年の業界経験に基づいて、慎重的に研究し、そして、何度も試作してから、従来製品の欠点を解決できる、より効率的である新規の移動可能なダクト装置を開発した。
【考案の開示】
【考案が解決しようとする課題】
【０００４】
本考案の主な目的は、ダクトが、異なるホスト板のCPU位置に対応して、コンピュータのホスト側板の通気孔上で移動できる、移動可能なダクト装置を提供する。
【０００５】
本考案の他の目的は、異なる高さのCPU装置に対応して、ダクトの長さが伸縮できる、移動可能なダクト装置を提供する。
【課題を解決するための手段】
【０００６】
主として、コンピュータのホスト側板の通気孔の上に、ダクトを実装し、当該ダクトは、連結される管受を内枠のシュートの中へ伸ばさせることにより位置付けられ、これにより、ダクトが、ホスト板の上にある異なるCPUの位置に対応して、通気孔上で変位でき、また、ダクトが、CPUの異なる高さに対応して、管受のスリーブ上で伸縮できる。
【考案を実施するための最良の形態】
【０００７】
以下、図面を参照しながら、本考案について詳しく説明する。
【０００８】
図１と図２のように、コンピュータのホストの側板10の上に、二つの通風のための通気孔11、12が設置され、その一つの通気孔11の上に、ホスト板のCPU位置（図に表示せず）まで伸ばされるダクト20が実装され、ダクト20の外側の空気で、自然的にCPUが生成した高温気体を低温化し、その特徴は、
ダクト20は、ホスト板の上にある異なる位置であるCPUに対応して、通気孔11の上で横方向に変位でき、当該固定装置は、外枠30と、二つの内枠40、50と、上にダクト20が接続される管受60とが含有され、外枠30は、側板10の外側に位置し、側板10の二つの通気孔11、12に対応する二つの貫通穴31、32があり、外枠30の上に、複数の嵌合ブロック33とフック柱34とがあり、当該嵌合ブロック33とフック柱34とは、それぞれ、側板10にある対称する複数の嵌合穴13とフック穴34に嵌入されて位置付けられ、二つの内枠40、50の上にも、複数の嵌合穴41、51とフック穴42、52があり、それぞれは、外枠30から突出した嵌合ブロック33とフック柱34とに嵌合されて位置付けられる。
【０００９】
［形状の内枠40内縁において、両端に、それぞれ、逆L形状のシュート43があり、管受60は、シュート43の開口端から内枠40の中へ入り、図３のように、内枠40の二つのシュート43の中段に、それぞれ、弾性を有する係止フック44があり、管受60の両側の縁に、係止フック44が係止されるための係止溝61があり、これにより、ダクト20が、管受60により、内枠40のシュート43の中で移動でき、係止フック44自身に弾性があるため、管受60が、力を受けて変位する時、係止フック44が、中へ推されて、管受60に印加される力が解除されると、係止フック44が、係止溝61の中に係止されて位置付けられる。
【００１０】
図４と図５の実施例図を参照しながら、ダクト20と管受60とは、組立て式の構造であり、管受60は、一端に、スリーブ62があり、当該中空であるスリーブ62の上に、二つの縦方向の突出柱621と、若干の環状である凹み槽622とがあり、中空であるダクト20は、内縁に、スリーブ62の突出柱621と係止するための二つの縦方向の係止槽21があり、これにより、ダクト20がスリーブ62の上で変位することができ、ダクト20は、先端の内縁に、若干の係止突出22があり、当該係止突出22が、スリーブ62の凹み槽622の中に係止されて位置付けられ、これにより、伸縮可能なダクト20は、CPUの高さに対応して長さを調整することができる。
【００１１】
図２と図３のように、側板10の通気孔11の上に、埃をろ過するためのフィルタ70が実装され、当該フィルタ70は、［形状の内枠40のシュート43端から伸ばし込んで管受60の内側に位置し、フィルタ70の前、後端の定位穴71が、側板10の前、後端の定位突出15の上に位置付けられ、フィルタ70は、何時でも引き出されて埃を清浄することができる。
【００１２】
以上のように、本考案に係わる移動可能なダクト装置は、ホスト板のCPUの位置に従って、異なる位置のCPUに対応して、方向を変更できるダクトであり、また、CPUの高さに対応して、ダクトの長さを変更できるものであり、本考案は、公的に披露されることなく、刊行物に刊行されることもないため、法に従って実用新案登録請求を出願する。
【図面の簡単な説明】
【００１３】
【図１】本考案の外観構造図
【図２】本考案の分解図
【図３】本考案の部分構造の正面平面図
【図４】本考案ダクトと管受の分解図
【図５】本考案のダクトと管受の組立て図
【符号の説明】
【００１４】
(10)  側板
(11、12)  通気孔
(13)  嵌合穴
(14)  フック穴
(15)  定位突出
(20)  ダクト
(21)  係止槽
(22)  係止突出
(30)  外枠
(31、32)  貫通穴
(33)  嵌合ブロック
(34)  フック柱
(40、50)  内枠
(41、51)  嵌合穴
(42、52)  フック穴
(43)  シュート
(44)  係止フック
(60)  管受
(61)  係止溝
(62)  スリーブ
(621)  突出柱
(622)  凹み槽
(70)  フィルタ
(71)  定位穴
【図１】
0003117079.tif 000003
【図２】
0003117079.tif 000004
【図３】
0003117079.tif 000005
【図４】
0003117079.tif 000006
【図５】
0003117079.tif 000007